(57)【特許請求の範囲】
【請求項１】
パネルに穿設した取付孔を通じて係合する表側部材及び裏側部材からなり、パネル裏面に接面する裏側部材と、取付孔に嵌合する表側部材とに、いずれか一方から相手方に向けて延びる２個以上の係合部材を設け、該係合部材により表側部材及び裏側部材を２個所以上で係合したパネルに対する手摺等の取付補助具において、表側部材は、固着部材を案内、支持した状態でパネルに捩じ込み又は打ち込むためのガイド孔部を、取付孔に嵌合する筒状本体の内周面から外周面へと貫通させて設けたことを特徴とするパネルに対する手摺等の取付補助具。
【請求項２】
表側部材は、筒状本体の内周面から外周面へ抜ける貫通孔と、貫通孔を内周面から内向きに延長するガイド突部とからガイド孔部を構成した請求項１記載のパネルに対する手摺等の取付補助具。
【請求項３】
裏側部材は、パネルを貫通する固着部材の先端を逃がす通過孔を設けた請求項１又は２いずれか記載のパネルに対する手摺等の取付補助具。
【請求項４】
表側部材は、取付孔に嵌合する筒状本体から１個以上の係止爪を係止部材として裏側部材に向けて延設し、裏側部材は、前記取付孔を通過してパネル表面からパネル裏面へと挿入する係止本体から１個以上の引張部材を係止部材として表側部材に向けて延設した請求項１〜３いずれか記載のパネルに対する手摺等の取付補助具。
【請求項５】
表側部材は、内周面又は外周面に段差係止部を筒状本体に設け、裏側部材は、表側部材の係止爪を係合する爪受係止部を係止本体に設け、表側部材の段差係止部に係合する位置決段差を引張部材に設けた請求項４記載のパネルに対する手摺等の取付補助具。
【請求項６】
表側部材は、内周面又は外周面に段差係止部を筒状本体に設け、裏側部材は、表側部材の係止爪を係合する爪受係止部を係止本体に設け、表側部材の段差係止部に係合する位置決段差を引張部材に設け、パネルに設けた取付孔内面に噛み込む楔突起を引張部材に設けた請求項４記載のパネルに対する手摺等の取付補助具。
【発明の詳細な説明】
【０００１】
【発明の属する技術分野】
本発明は、比較的低強度のパネルに手摺等、特に荷重のかかる手摺等を取り付ける際に用いる取付補助具に関する。
【０００２】
【従来の技術】
建築物の壁面は、比較的低強度のパネルのみで構成されることがあり、この場合、壁面に対して手摺等を別途取り付けるには、取付基礎となる取付補助具をパネルに取り付けることが多い。例えば、特公昭61-006221号「固定具取付装置」は、足部材、アンカー部材及びカラー部材からなる取付補助具を開示している。具体的には、前記足部材の可撓性を利用して、アンカー部材と足部材とを互いに平行にして壁の孔内に挿入し、カラー部材は管状部分を壁の孔内に位置させてこのカラー部材のフランジ部分を壁の表面に当接して位置決めし、カラー部材の穴に挿通した長目固定具(ボルトやねじ)をアンカー部材に係合することにより、取付補助具を壁の内外で確実に保持する。
【０００３】
【発明が解決しようとする課題】
上記特公昭61-006221号の取付補助具は、アンカー部材の幅を広くできないため、長手方向に比べ幅方向の外力に弱い。しかし、例えば手摺は延設方向に沿って取付補助具を一定間隔で設けるため、手摺の延設方向に直交してアンカー部材を取り付ければ、十分な取付強度を得ることができる。ところが、上記特公昭61-006221号の取付補助具は、長目固定具(ボルトやねじ)を締め込むとアンカー部材が回転(共回り)するので、実際には所定の向きに取付補助具を取り付けることができない。このため、比較的大きな外力を受ける手摺等に対しては、取付補助具が必要以上に多数になることがあり、実際の利用には不向きである。
【０００４】
そこで、特開平09-072318号「被固定物の壁材への取付用器具および被固定物の壁材への取付方法」は、複数の壁裏補強材に可撓性を有する細長い引張部材を通し、前記壁裏補強材を壁材裏面側に移動させ、引張部材を表面側に引っ張り出して壁裏補強材相互を交差状に開くことで、取付の方向性をなくした取付補助具を提案している。しかし、構造が複雑になって高価となるし、確実に壁裏補強材を交差状に開くには、例えば特許第2903313号「壁裏アンカー金具」にみられるように、壁裏補強材(アンカー片)が開いたときに付勢トルクが０(ゼロ)となるねじりばね手段を各壁裏補強材間に介装するという更に複雑な構造が必要になる。しかしながら、いずれも壁裏補強材又はアンカー片が交差状に開いているか確認できないため、取付が不確実となる可能性は否定できない。また、壁裏補強材又はアンカー片は、交差状に開く構造上、薄板に絞り加工を施した部材でなければならず、座屈強度に優れる厚板を使用できない。
【０００５】
近年、軽量で断熱性に優れることから、薄鋼板からなる表面板と裏面板との間にウレタン発泡樹脂等を充填したウレタン発泡パネルがユニットバス等の壁に多く使用されている。この種のパネルは、パネルに穿設した取付孔周囲における表裏面間の締付荷重に弱く、取付補助具で挟み込むとパネルが潰れ、手摺等をしっかり固定できない問題がある。この問題に対し、例えば特開2001-107529「手すりの取付構造」は、取付孔内に高さ寸法がパネルの厚みに等しい筒状のリングを挿入し、裏側取付金具(アンカー部材)と表側取付金具(カラー部材)とで強く挟み付けてもパネルを変形させない技術を提案している。しかし、予め裏側取付金具と表側取付金具とが引張部材によって一体化されている場合、先に裏側取付金具をパネルの穴開口部(取付孔)からパネル裏面へ通してしまうと後からリングを取り付けることができない。また、裏側取付金具を通す際に予め取り付けたリングを誤って壁の裏面側に落下させてしまう虞もある。
【０００６】
そこで、シンプルな構造でありながらも十分な取付強度を備え、取付が確実な取付補助具を、特にウレタン発泡パネルのような取付孔周囲における表裏面間の締付荷重に弱いパネルに適した取付補助具を目的として、検討した。
【０００７】
【課題を解決するための手段】
検討の結果開発したものが、パネルに手摺等を取り付ける際に用いる取付補助具であって、この取付補助具はパネルに穿設した取付孔を通じて係合する表側部材及び裏側部材からなり、パネル裏面に接面する裏側部材と、取付孔に嵌合する表側部材とに、異なる位置関係でいずれか一方から相手方に向けて延びる２個以上の係合部材を設け、この係合部材により表側部材及び裏側部材を２個所以上で係合することにより、裏側部材に対して螺入する手摺等の雄ネジに伴うこの裏側部材の回転(共回り)を防止したパネルに対する手摺等の取付補助具である。
【０００８】
本発明の取付補助具は、パネルに穿設した取付孔を通じて表側部材及び裏側部材を係合することで仮止めの安定性を図り、加えて取付孔に対して表側部材を嵌合、位置固定することで、取付完了後の位置安定をも図る。仮止めにあっては、異なる位置関係、例えば点対称の位置関係でいずれか一方から相手方に向けて延びる２個以上の係合部材を設け、この係合部材により表側部材及び裏側部材を２個所以上で係合するので、両者の一体化が確実になされ、取付孔に嵌合する表側部材を介して取付補助具全体の落下が防止される。また、２個所以上で係合することで、取付孔に位置固定する表側部材を基準として、手摺等の雄ネジを裏側部材の雄ネジ孔部に螺合する際に裏側部材の回転(共回り)を防止できるようになるから、裏側部材を任意の向きで取付完了後も維持できる。
【０００９】
具体的には、表側部材は取付孔に嵌合する筒状本体から１個以上の係止爪を係止部材として裏側部材に向けて延設し、裏側部材は前記取付孔を通過してパネル表面からパネル裏面へと挿入する係止本体から１個以上の引張部材を係止部材として表側部材に向けて延設して構成する。更に具体的には、表側部材は、内周面から外周面へと貫通するガイド孔部と、内周面又は外周面に段差係止部とを筒状本体に設け、裏側部材は、パネルの取付孔を通じて手摺等の雄ネジを螺入する雄ネジ孔部と、表側部材の係止爪を係合する爪受係止部とを係止本体に設け、引張部材は表側部材の段差係止部に係合する位置決段差を設ける。ここで、表側部材を構成する筒状本体の長さがパネル厚に等しければ、筒状本体が裏側部材を構成する係止本体に当接し、手摺等の雄ネジを螺合する際の締付をパネル厚で抑制できる。これにより、手摺等の雄ネジの螺合によるパネルの必要以上の圧迫がなくなり、比較的低強度のパネル(特に、取付孔周囲で圧縮荷重に弱くなるウレタン樹脂等の発泡パネル)に対しても本発明の取付補助具の利用を可能にする。この場合でも、手摺等の雄ネジは十分に締め付けることができるので、取付後のガタツキが発生しない。
【００１０】
上記取付補助具の構成にあっては、取付孔を通過してパネル表面からパネル裏面へと挿入する係止本体をパネル裏面に接面した状態で、(1)表側部材を構成する筒状本体から裏側部材に向けて延設した係止爪を、係止本体の爪受係止部に係合させると共に、(2)裏側部材を構成する係止本体から表側部材に向けて延設した引張部材の位置決段差を、表側部材の筒状本体に設けた段差係止部に係合して仮止めを実現する。こうして、表側部材と裏側部材とは事実上一体化が図られるため、パネルに対する仮止め状態(表側部材又は裏側部材のいずれもパネルに固着していない状態)であっても両者が分離しなくなる。この場合、表側部材を構成する筒状本体端縁へパネル表面に接面するフランジを設けると、筒状本体を嵌合深さを一定にできる上、後述する固着部材の捩じ込み又は打ち込みや、手摺等の固定作業に際して表側部材又は裏側部材が脱落しなくなる。そして、表側部材は、ガイド孔部を貫通して固着部材(ネジや釘等)をパネルに捩じ込み又は打ち込むことで、取付補助具全体のパネルに対する取付が完了する。
【００１１】
ここで、ガイド孔部は、筒状本体の内周面から外周面へ抜ける貫通孔と、この貫通孔を内周面から内向きに延長するガイド突部とから構成し、貫通孔を通じて固着部材(ネジ釘や釘)を案内、支持した状態で捩じ込み又は打ち込みできるようにすればよい。こうしたガイド孔部を設けることで、パネルに対応する下孔を設けなくても、容易に固着部材をパネルに捩じ込み又は打ち込みできる。この場合、ガイド孔部は筒状本体内周面に対して貫通孔が斜めとなるように設けると、貫通孔を長くすることができ、前記固着部材の案内、支持の作用をよりよく果たすことができる。また、固着部材は、ガイド孔部を通じて筒状本体の内周面から外周面へと貫通させるため、ネジや釘の頭を筒状本体内に収容でき、表側部材から突出させない働きを有する。前記ネジや釘の頭を隠す働きは、固着部材が手摺等の固定の邪魔にならないようにするので、固着部材として使用できるネジや釘の種類を限定しなくなる効果を生む。
【００１２】
上述したように、表側部材の筒状本体端縁に設けるフランジは、パネルに対する取付補助具の位置を、パネル表面へのフランジの接面により容易に決定できる。しかし、フランジの存在は、場合によって手摺等の構造を制約することもありうる。そこで、裏側部材の係止本体から表側部材に向けて延設する引張部材に、取付孔内面に噛み込む楔突起を設け、パネルの取付孔に対する前記楔突起の噛み込みにより裏側部材の位置決めを図り、もってパネルに対する取付補助具の位置を容易に決定できるようにした。この場合でも、取付補助具のパネルに対する取付完了は、固着部材による表側部材のパネルへの固着により、前記楔突起による位置決めは、仮止め状態におけるパネルに対する取付補助具の相対位置を決定するものである。
【００１３】
【発明の実施の形態】
以下、本発明の実施形態について、図を参照しながら説明する。図１は本発明の取付補助具のパネル１への取付状態を示す分解斜視図、図２は取付補助具の分解斜視図である。本発明の取付補助具は、ユニットバスの壁面等を構成するパネル１に穿設した取付孔２に取り付け、手摺等３をネジ止めする際に用いる取付基礎を形成する補助部材である。
【００１４】
本例のパネル１は、板厚0.5mm以下の表面処理鋼板からなる表面板1aと裏面板1bの内部空間にウレタン発泡樹脂からなる充填材1cを充填発泡させたウレタン発泡パネルである。このウレタン発泡パネルは、断熱効果が高く軽量であることから、ユニットバスや物置等の壁パネルとして多く用いられる。よって、こうしたウレタン発泡パネルに使用可能な取付補助具は、非常に有用である。
【００１５】
取付補助具は、取付孔２のパネル１表面側から挿入してパネル１裏面側に取り付ける裏側部材４と、裏側部材４を構成する係止本体4eから前記取付孔２を通じて表側部材６へ向けて伸びるように取り付けた可撓性の引張部材５と、取付孔２のパネル１表面にフランジ6bを接面するように取付孔２へ嵌合する表側部材６とから構成する。本例では、引張部材５を裏側部材４と別体にして取り付けているが、後述するように、裏側部材４(例えば係止本体4e)と一体にして、表側部材６に向けて延ばしてもよく、いずれも延設する態様となる。
【００１６】
図２に示すように、係止本体4eは幅が取付孔２内径よりも小さく、長さが取付孔２内径よりも大きい短冊状で、本例では板厚３mm程度の表面処理(後メッキ処理)を施した鋼板を用いている。本発明の裏側部材も、従来見られるように薄板を絞り成形して剛性を高めた板材から構成することもできる。しかし、手摺のように高い安全性が要求される手摺等３の取付に対しては、座屈強度が高い板厚の大きな平板を用いる方が好ましいわけである。係止本体4eの中央には手摺等３のネジ止め用の雄ネジ孔部4aを形成してある。本例の雄ネジ孔部4dは、係止本体4eが比較的厚みが大きな金属製であるために予め内面にネジ溝を刻設している。しかし、比較的厚みの小さな金属製係止本体や樹脂製係止本体14e(図10等参照)では、ネジ溝がなくても雄ネジ(タッピングネジ)を螺入することが可能なため、特にネジ溝を設けず、単なる開孔でもよいし、開孔すらなくてもよい。
【００１７】
引張部材５は、可撓性を有する細長い樹脂製帯状体で、一端には四角形状に張り出した抜け止め部5aを形成している。この抜け止め部5aから係止本体4eの板厚相当間隔を隔てた位置には、一対の係止突起5b,5bを設けている。引張部材５は、係止本体4eに設けた四角形状挿通孔4bから通し、抜け止め部5aと係止突起5b,5bとで係止本体4eを挟持することで、裏側部材４から表側部材６に向けて伸びる様に裏側部材４と一体化する。この引張部材５の途中には、階段状の位置決段差5cを形成してあり、更にその先から側方に向けて略直角方向へ折り曲げて取っ手部5dを構成している。この取っ手部5dは、引張部材５と一体化した裏側部材４を取付孔２からパネル１裏面へと挿入する際の持ち手となる。また、本例の取っ手部5dのように折り曲げた部位は、取付孔２に対する引っ掛かりとなり、裏側部材４のパネル１裏面への落下を防止する機能を果たす。
【００１８】
表側部材６は、樹脂成形により取付孔２の内径にほぼ等しい外径を有する筒状本体6aと、この筒状本体6aの一端縁ほぼ全周から張り出したフランジ6bとを一体に成形して構成している。係止片6cは筒状本体6aの他端縁から突設し、筒状本体6aを取付孔２に嵌合する際に、裏側部材４の係止本体4eに設けた爪受係止部4cへ挿入する。係止爪6dは係止片6c側面に設けてあり、爪受係止部4c通過後には係止本体4e裏面に係合し、表側部材６の筒状本体6aの他端縁と共に係止本体4eを挟持して、表側部材６及び裏側部材４との一体化を図る。
【００１９】
表側部材６の筒状本体6aは、外周面に長さ方向の嵌合溝6eを設けている。この嵌合溝6eは、筒状本体6a外周面に引張部材５を嵌合させ、表側部材６に対する裏側部材４の回転方向の位置決めを図る働きを有する。こうして嵌合溝6eに嵌合させた引張部材５は、更に嵌合溝6eに連続して筒状本体6aからフランジ6bにかけて設けた切欠による段差係止部6fに位置決段差5cを係止して、他端側の取っ手部5dをパネル１表面側から突出させる。段差係止部6fは位置決段差5cを係止できればよく、構造的な切欠は必須ではない。また、係止片6cによる表側部材６及び裏側部材４の係合位置と、前記引張部材５による表側部材６及び裏側部材４の係合位置とが、できるだけ異なる位置関係、例えば本例のように点対称位置関係に配することで、表側部材６及び裏側部材４を安定して仮止めできる。
【００２０】
ガイド孔部6gは、筒状本体6aの内周面に設けたガイド突部6hと、このガイド突部6hから外周面に向けてパネル１表面側からパネル１裏面側の軸方向斜めに設けた貫通孔6iとからなる。固着部材(ネジや釘)７は、筒状本体6aの内周面、ガイド突部6hから外周面へと前記ガイド孔部6gへ差込み、取付孔２からパネル１裏面に貫通させて、パネル１に対して表側部材６を位置固定し、取付補助具の回り止めを図る。固着部材７を打ち抜くため、裏側部材４の係止本体4eには、パネル１を貫通する固着部材７先端を逃がす通過孔4d(馬鹿孔)を設けているが、固着部材７が係止本体4e外に貫通する場合は前記通過孔はなくてもよい。
【００２１】
図３から図７は、取付補助具のパネル１への取付手順を示す縦断面図である。予め引張部材５に取り付けた裏側部材４は、引張部材５を根元付近で折り曲げた状態で取付孔２に挿通する(図３)。例えば、引張部材５の取っ手部5dを手で持って裏側部材４を押し込むと、裏側部材４がパネル１裏面側に抜けた段階で引張部材５が直線状態に復帰し、裏側部材４がパネル１に引っ掛かる(図４)。続いて、引張部材５の取っ手部5dを引っ張りながら、表側部材６の筒状本体6a側を取付孔２へ挿入する(図５)。このとき、表側部材６の嵌合溝6e内に引張部材５を嵌合させ、裏側部材４の係止本体4eに設けた爪受係止部4cに係止片6cの先端を挿入しながら押し込む。
【００２２】
更に表側部材６を押し込むと、係止片6cの係止爪6dが裏側部材４の爪受係止部4cを通過して係止本体4e裏面に係止し、引張部材５の位置決段差5cが筒状本体6aの段差係止部6fに係止する。同時に、筒状本体6aの端縁が裏側部材４に突き当たり、フランジ6bが取付孔２の周囲のパネル１表面に接面して、取付補助具の仮止めが完了する(図６)。この仮止め状態では、もはや取付補助具がパネル１から外れる虞が全くないため、引張部材５のパネル１表面側に突出した余剰分を切除しても構わない。
【００２３】
そして、最後にガイド孔部6gから差し込み、裏面板1bへと貫通させる固着部材７を、係止本体4eの通過孔4dに貫通するまで打ち込んで表側部材６をパネル１に対して固着し、表側部材６を位置固定する(図７)。こうして、取付補助具の取付孔２に対する取付作業は完了する。既述したように、固着部材７は必ずしも係止本体4eに設けた通過孔4dを貫通する必要はない。しかし、本例のように係止本体4eに設けた通過孔4dへ固着部材７を貫通させると、表側部材６及び裏側部材４の係合部材(係止片6cや引張部材５)が折れた場合に、固着部材７と通過孔4dとの係合が、手摺等３の取付に際する雄ネジ3cの締付け(図８参照)による裏側部材４の回転(共回り)を防止することが期待できる。
【００２４】
図８は手摺等３の固定用具への取付状態を示す縦断面図である。本例の手摺等３は、握りバー3aが垂直方向に延びる手摺である。取付手順は、次の通りである。まず、外周にネジ溝を有する円盤状ベース3bに通した雄ネジ3cを、取付孔２奥に覗く裏側部材４の係止本体4eに設けた雄ネジ孔部4aに螺合し、パネル１表面に前記ベース3bを固定する。次に、握りバー3a端部に設けたユニオンナット3dを、前記ベース3bに螺合する。ユニオンナット3d内面には雌ネジを刻設している。取付孔２内への水の侵入を防ぐため、ユニオンナット3dとパネル１との間に、防水パッキン3eを介装するとよい。
【００２５】
本発明の取付補助具は、上述のように、ウレタン発泡パネルに対して用いた場合、パネルを破損させずに十分な取付強度を得る効果を発揮するが、このほかの発泡パネルはもちろん、石膏ボードやパーチクルボード等、無機質系パネルやその他のパネルにも、同様な効果をもたらす。図９は本発明の他の取付補助具を示す斜視図で、図10はパネル１への取付状態を示す縦断面図である。本例は、裏側部材14を樹脂成形品とし、引張部材15を係止本体14eと一体に成形している。加えて、本例の裏側部材14は、係止本体14eを取付孔２よりも広幅にして長手方向にかかる耐荷重強度を向上させながら、取付孔２への挿入を可能にしている。具体的には、係止本体14eの長手方向の折れ溝14fを２条設けている。この折れ溝14fにより残る薄肉部がヒンジとして働き、取付孔２への挿入時には係止本体14eを折り畳めるようにする(図９中矢印Ｂ方向)。この裏側部材14は、パネル１の取付孔２に挿入する際、まず引張部材15を矢印Ａ方向に折り曲げ、続いて裏側部材14の両側を矢印Ｂ方向に折畳む。そして、矢印Ｃ方向から取付孔２へ挿入する。
【００２６】
図10に示すように、上記例示と同様に表側部材16をパネル１に仮止めした後、固着部材７で打ち込んで回り止めを図る。本例の表側部材16にはフランジを設けておらず、代えて裏側部材14から伸びる引張部材15に半径方向外向きに突出させた楔突起15eを設けている。この楔突起15eは、係止本体14eからパネル１の裏面板1bの板厚よりも若干大きい間隔で設けてあり、表側部材16の挿入により半径方向外向きへ押されてパネル１の充填材1cに喰い込むことで、裏面板1bを挟み込んで裏側部材14のパネル１に対する位置決めを図る。このように、裏側部材14がパネル１に対する位置決めを図るので、表側部材16のフランジが必要なくなり、パネル１表面への突出部分をなくすことができるようになる。こうしたフランジのない表側部材16は、例示のようなフラットな取付面を有する手摺等３の固定に適する。その他、裏側部材14の雄ネジ孔部14a、爪受係止部14c、通過孔14d、ならびに引張部材15の位置決段差15c、取っ手部15d、更に表側部材16の筒状本体16a、係止片16c、係止爪16d、嵌合溝16e、段差係止部16f、ガイド孔部16gは上記例と働きは同じであるので、説明は省略する。
【００２７】
本例の裏側部材14は、左右一対の雄ネジ孔部14aを設けており、手摺等３を固定するための雄ネジ3cの先端を各雄ネジ孔部14a,14aに締め込むことで、握りバー3a端部の取付部を直接ビス止めした構造である。図10中左側の取付構造は、係止片16cを工具等により切除した表側部材16を取付孔２内に挿入しており、手摺等３の固定によるパネル１の潰れを防止する。本例の裏側部材14は樹脂製係止本体14eからなるため、雄ネジ孔部14aには予めネジ溝を刻設する必要はなく、単なる開孔へ直接雄ネジ3b(例えばタッピングネジ)を捩じ込むか、又は開孔もない係止本体14eへ直接雄ネジ3bを捩じ込めばよい。これは、工数のかかるネジ切り作業を省略できることを意味し、製造コストを低減する効果をもたらす。
【００２８】
【発明の効果】
本発明の取付補助具は、パネルを挟んで表側部材と裏側部材とを対峙させ、両者を２個以上の係合部材、上記例で言えば係止片及び引張部材による係合で表側部材と裏側部材とを一体にして仮止めを実現し、更に表側部材をパネルに対して位置固定することで、手摺等取付後の安定した取付補助具としての位置固定をも実現する。このように、本発明の取付補助具は、部材の構造及び構成は極めてシンプルでありながら、前述のような仮止めを経た取付強度は十分なものである。しかも、仮止めは表側部材及び裏側部材の相対的な共回りを防止するもので、表側部材及び裏側部材はそれぞれ任意の向きでパネルに取り付けることができる利点がある。こうした利点は、とりわけウレタン発泡パネルのような取付孔周囲における表裏面間の締付荷重に弱いパネルにも利用可能な取付補助具を提供する効果となる。
【図面の簡単な説明】
【図１】取付補助具の取付状態を示す分解斜視図である。
【図２】取付補助具の分解斜視図である。
【図３】取付補助具の取付方法を示す縦断面図である。
【図４】取付補助具の取付方法を示す縦断面図である。
【図５】取付補助具の取付方法を示す縦断面図である。
【図６】取付補助具の取付方法を示す縦断面図である。
【図７】取付補助具の取付方法を示す縦断面図である。
【図８】手摺等の取付状態を示す縦断面図である。
【図９】取付補助具の他の例を示す分解斜視図である。
【図１０】取付補助具及び手摺等の取付状態を示す縦断面図ある。
【符号の説明】
１  パネル
２  取付孔
３  手摺等
４  裏側部材
５  引張部材
６  表側部材
７  固着部材
【図１】
0003942406.tif 000002
【図２】
0003942406.tif 000003
【図３】
0003942406.tif 000004
【図４】
0003942406.tif 000005
【図５】
0003942406.tif 000006
【図６】
0003942406.tif 000007
【図７】
0003942406.tif 000008
【図８】
0003942406.tif 000009
【図９】
0003942406.tif 000010
【図１０】
0003942406.tif 000011